(57)【要約】  【課題】従来の解舒補助具と比べてモノフィラメントの巻き状態を崩すことなくスムーズに解舒することができ、さらに構造上簡便かつ安価な解舒補助具の提供。  【解決手段】ボビンに巻かれたモノフィラメントをボビン軸方向に縦取り解舒する際に使用する解舒補助具であって、解舒補助具１は少なくとも２本以上の抵抗体２とこの抵抗体を把持するための本体３とから構成され、抵抗体２は可撓性の棒状体からなり、ボビン軸方向上端部に当該解舒補助具を装着した際に、ボビン軸と直角な方向に放射状に、且つその先端がボビン端部の端縁よりも外側へ突出するように配置されていることを特徴とするボビン巻きモノフィラメントの解舒補助具。【選択図】図１
2007099456.tif 000002
【特許請求の範囲】
【請求項１】
ボビンに巻かれたモノフィラメント製品からモノフィラメントをボビン軸方向に縦取り解舒する際に使用する解舒補助具であって、この解舒補助具は、少なくとも２本以上の抵抗体と、この抵抗体を側縁に把持するとともに、前記ボビンの軸方向上端部に着脱自在な本体とから構成され、前記抵抗体は可撓性の棒状体からなり、前記モノフィラメント製品のボビン軸方向上端部に当該解舒補助具を装着した際に、ボビン軸と直角な方向に放射状に、且つその先端がボビン端部の端縁よりも外側へ突出するように配置されていることを特徴とするボビン巻きモノフィラメントの解舒補助具。
【請求項２】
解舒補助具を前記モノフィラメント製品のボビン軸方向上端部に装着した際に、前記抵抗体のうちボビン端部の端縁よりも外側に突出する部分の長さが１０〜２００ｍｍの範囲にあることを特徴とする請求項１に記載のボビン巻きモノフィラメントの解舒補助具。
【請求項３】
前記抵抗体が合成樹脂モノフィラメントからなることを特徴とする請求項１または２に記載のボビン巻きモノフィラメントの解舒補助具。
【請求項４】
前記抵抗体が、前記本体の側縁に４〜７２本等間隔で把持されていることを特徴とする請求項１〜３のいずれか１項に記載のボビン巻きモノフィラメントの解舒補助具。
【請求項５】
請求項１または２に記載のボビン巻きモノフィラメントの解舒補助具を、モノフィラメント製品のボビン軸方向上端部に装着して、モノフィラメントをボビン軸方向に縦取り解舒するに際し、ボビンから解舒されたモノフィラメントを、少なくとも２本以上の抵抗体に順次接触させつつ引き出すことを特徴とするボビン巻きモノフィラメントの解舒方法。
【発明の詳細な説明】
【技術分野】
【０００１】
本発明は、ボビンからモノフィラメントを縦取り解舒するに際し、モノフィラメント製品の巻き状態を崩すことなくスムーズにモノフィラメントを解舒することができるとともに、従来のものよりも構造上簡便かつ安価なボビン巻きモノフィラメントの解舒補助具およびそれを用いたボビン巻きモノフィラメントの解舒方法に関するものである。
【背景技術】
【０００２】
ボビンに巻かれたモノフィラメントの解舒には、主にボビン軸方向に解舒する方法（以下、縦取り解舒と言う）と、ボビンを回転させながらボビン軸と直角な方向に解舒する方法（以下、横取り解舒と言う）の２つの方法があり、実際、製織前の整経機に経糸を給糸する場合や織機に緯糸を給糸する場合においては、ボビンを回転させながら横取り解舒する方法やクリールなどを使用して縦取り解舒する方法、さらには床面にモノフィラメント製品を縦置きし、縦取り解舒する方法などが一般的に採用されている。
【０００３】
しかし、モノフィラメントはマルチフィラメントに比べて糸の直径が太く、さらに糸の剛性が高いため、モノフィラメントをボビンから縦取り解舒すると、モノフィラメント製品の巻き状態が崩れてモノフィラメントが解舒不良を起こし、さらには解舒テンションが大きく変動して整経や製織に不具合をきたすことがあった。
【０００４】
一方、解舒不良による糸切れを防止するための従来技術としては、パッケージの糸解舒側端部に、一組の円板の外周に複数のワイヤを萼状に跨設してなる糸ガイドと、その一方の円板を回動させて糸ガイドの径を可変する駆動装置と、該駆動装置をパッケージ径に追従して制御するコントローラを備え、解舒テンションを低減させて糸切れ防止を可能としたパッケージ解舒補助装置（例えば、実用新案文献１参照）、所定径の円孔を有する支持リングの内周に、複数の弾性線材を円孔中心方向へ凸湾曲させ、かつ、互いに交差し合うように環状に配列し、これら複数の弾性線材により囲まれた円孔中央の解舒領域内へ給糸体の解舒糸を引き通し、これら弾性線材を給糸体の糸表面に接触させながら一定張力で糸を解舒する糸解舒張力安定具（例えば、特許文献１参照）などが知られている。
【０００５】
しかし、これら従来の解舒技術は、いずれもチーズ巻きやコーン巻きされたマルチフィラメントを安定な状態で解舒するための技術であり、この技術をモノフィラメントの解舒に利用した場合には、その効果を十分に発揮することができなかった。
【０００６】
さらに、一般にモノフィラメントは鍔付ボビンに巻かれることが多く、モノフィラメントが鍔付近で落ち込んで太鼓状に巻かれていたり、逆に鍔付近でせり上がって鼓状に巻かれていたりすると、輪抜けと呼ばれる糸がまとまってズレ落ちる現象がしばしば発生し、解舒中に糸切れが発生することもあった。
【０００７】
また、従来の解舒技術は、いずれも複雑な構造を有するものであるため、構造上簡便且つ安価な解舒技術であるとは言えなかった。
【０００８】
したがって、モノフィラメントを安定的に縦取り解舒することができるとともに、構造上簡便且つ安価な解舒補助具の実現が仕切りに望まれていたのである。
【特許文献１】実開平５−７７１６４号公報
【特許文献２】特開２０００−２１１８１７号公報
【発明の開示】
【発明が解決しようとする課題】
【０００９】
本発明は、こうした状況を鑑み、従来技術における問題点を解決すべく検討した結果達成されたものである。
【００１０】
従って、本発明の目的は、ボビンに巻かれたモノフィラメントを縦取り解舒する際に、モノフィラメント製品の巻き状態を崩すことなくスムーズに解舒することができるとともに、構造上簡便且つ安価なボビン巻きモノフィラメントの解舒補助具およびそれを用いたボビン巻きモノフィラメントの解舒方法を提供することにある。
【課題を解決するための手段】
【００１１】
本発明者らは、上記目的を達成すべく種々検討を重ねた結果、モノフィラメントがある突出物と繰り返し接触しながら解舒される場合に、モノフィラメント製品の巻き状態を崩すことなく、安定に解舒することができることを見出し、本発明に至った。
【００１２】
すなわち、本発明の解舒補助具は、ボビンに巻かれたモノフィラメント製品からモノフィラメントをボビン軸方向に縦取り解舒する際に使用する解舒補助具であって、この解舒補助具は、少なくとも２本以上の抵抗体と、この抵抗体を側縁に把持するとともに、前記ボビンの軸方向上端部に着脱自在な本体とから構成され、前記抵抗体は可撓性の棒状体からなり、前記モノフィラメント製品のボビン軸方向上端部に当該解舒補助具を装着した際に、ボビン軸と直角な方向に放射状に、且つその先端がボビン端部の端縁よりも外側へ突出するように配置されていることを特徴とする。
【００１３】
なお、本発明のボビン巻きモノフィラメントの解舒補助具においては、
解舒補助具を前記モノフィラメント製品のボビン軸方向上端部に装着した際に、前記抵抗体のうちボビン端部の端縁よりも外側に突出する部分の長さが１０〜２００ｍｍの範囲にあること
前記抵抗体が合成樹脂モノフィラメントからなること、および
前記抵抗体が、前記本体の側縁に４〜７２本等間隔で把持されていること
がさらに好ましい条件として挙げられる。
【００１４】
また、本発明のボビン巻きモノフィラメントの解舒方法は、上記の解舒補助具を、モノフィラメント製品のボビン軸方向上端部に装着して、モノフィラメントをボビン軸方向に縦取り解舒するに際し、ボビンから解舒されたモノフィラメントを、少なくとも２本以上の抵抗体に順次接触させつつ引き出すことを特徴とし、従来の解舒補助具を使用する場合よりも簡便且つ安価な構造であるとともに、モノフィラメント製品の巻き状態を崩すことなくスムーズに解舒することができるため、その実用価値は極めて高い。
【発明の効果】
【００１５】
本発明のボビン巻きモノフィラメントの解舒補助具によれば、ボビンからモノフィラメントを縦取り解舒するに際し、モノフィラメントの巻き状態を崩すことなくスムーズに解舒することができ、従来の解舒補助具よりも構造上簡便かつ安価であることが最大の特長である。
【発明を実施するための最良の形態】
【００１６】
以下、本発明のボビン巻きモノフィラメントの解舒補助具（以下、単に解舒補助具と呼ぶ）および解舒方法について、図面に従ってさらに詳細に説明する。
【００１７】
図１は、本発明の解舒補助具の一例である第１実施例を示した図であり、１は解舒補助具、２は抵抗体、３は本体をそれぞれ示している。
【００１８】
また、図２は、本発明の解舒補助具１を使用し、ボビン巻きされたモノフィラメントを縦取り解舒する際の様子を示した図であり、１は解舒補助具、２ａ〜２ｌは抵抗体、３は本体、４は鍔付ボビンに巻かれたモノフィラメント製品、５はボビンの鍔部分、６はモノフィラメントをそれぞれ示している。
【００１９】
そして、図２から分かるように、本発明の解舒補助具１は、少なくとも２本以上の抵抗体２と、この抵抗体を側縁に把持するとともに、ボビンの軸方向上端部に着脱自在な本体３とから構成され、これをモノフィラメント製品４のボビン軸方向の上端部に装着した際に、抵抗体２ａ〜２ｌがボビン軸と直角な方向に放射状に配置され、抵抗体２ａ〜２ｌの先端がボビンの端部の端縁、つまり図２で言うところのボビンの鍔部分５の端縁より外側に突出していることを特徴とするものである。
【００２０】
ここでまず、本願発明の解舒補助具１を使用した場合、モノフィラメント６がどのように縦取り解舒されていくかについて説明する。
【００２１】
初めに、モノフィラメント６が抵抗体２ａに接触した状態でボビン軸方向に引き出されると、  
（１）抵抗体２ａが屈曲してモノフィラメント６が抵抗体２ａから外れ、モノフィラメント６に掛かっていた解舒テンションが一旦開放される。
（２）解舒テンションから開放されたモノフィラメント６は、ボビンに巻かれている部分で解舒され、巻き状態が一旦緩和される。
（３）抵抗体２ａから外れたモノフィラメント６は、次に抵抗体２ｂに接触する。そして、抵抗体２ｂに接触したモノフィラメント６には再び解舒テンションが掛かり、ボビンに巻かれている部分のモノフィラメント６の解舒が止まる。
（４）引き続き、モノフィラメント６がボビン軸方向に引き出されると、次に抵抗体２ｂ〜２ｃ間で（１）〜（３）の状態が繰り返される。
（５）さらに、抵抗体２ｃ〜２ｌの各区間においても、同じ（１）〜（３）の状態が繰り返され、一周する。
（６）そして、（１）〜（５）の状態が繰り返され、モノフィラメント６は解舒補助具１の周りを周動しながら次々と解舒されていく。
【００２２】
このように、抵抗体２ａ〜２ｌは、解舒テンションが短時間に繰り返し掛かることで、モノフィラメント６の過度な解舒を抑止するとともに、モノフィラメント６をスムーズに引き出す働きを持つものであり、本発明の解舒補助具１において、重要な役割となるものである。
【００２３】
なお、本発明の解舒補助具１には、抵抗体２を少なくとも２本以上有することが必要である。
【００２４】
抵抗体２が１本である場合は、モノフィラメント６が抵抗体２から一旦離れ、ボビンの鍔部分５の外周に沿って１周して再び同じ抵抗体２に接触する間に、ボビンに巻かれている部分において、モノフィラメント６の解舒が進み過ぎてしまうため、モノフィラメント製品４の巻き状態が崩れやすくなり、モノフィラメント６の解舒不良が発生し易くなる。
【００２５】
逆に、抵抗体２の本数が多い場合は、解舒テンションが常に掛かっている状態に近くなるため、モノフィラメント製品４の巻き状態が崩れにくくなるが、抵抗体２とモノフィラメント６との接触が多くなるために解舒テンションが高くなる傾向にあり、整経や織機の際に支障をきたす場合がある。したがって、抵抗体２の本数は４〜７２本であることが好ましく、さらには８〜５４本であることがより好ましい。
【００２６】
また、解舒テンションの変動が小さく、常に一定な状態となるためには、各抵抗体２は等間隔で配置されていることが好ましい。
【００２７】
さらに、抵抗体２は、解舒補助具１をモノフィラメント製品４のボビン軸方向の上端部に装着した際に、ボビン軸と直角な方向に放射状に配置され、その先端がボビンの端部の端縁、つまり図２で言うところのボビンの鍔部分５の端縁より外側に突出していなければならない。
【００２８】
これは、抵抗体２の先端がボビンの端部の端縁から突出していないと、モノフィラメント６と抵抗体２とが接触しなくなるためであり、その結果、モノフィラメント製品４の巻き状態が崩れやすくなり、輪抜けや糸切れなどの解舒不良が発生しやすくなる。
【００２９】
さらにまた、抵抗体２のうち突出する部分の長さは、モノフィラメント６を縦取り解舒する際に形成されるバルーンの大きさに応じて適宜調整することが必要であるが、解舒テンションを適度な状態で保ちながら、モノフィラメント６をよりスムーズに解舒させるためには、１０〜２００ｍｍの範囲が好ましく、さらには２０〜１２０ｍｍの範囲が好ましい。
【００３０】
ここで、抵抗体２を構成する素材としては、可撓性を有する素材であれば特に限定はされず、特に抵抗体２との接触により、モノフィラメント６の表面に傷や損傷が付かないような素材、例えば、各種合成樹脂素材から成るモノフィラメント、ピアノ線などの金属線材や金属製の薄板、紙、プラスチック部材などの弾性素材の使用が好ましい。
【００３１】
また、抵抗体２に非弾性素材を用いる場合は、図３に示すように、抵抗体２と本体３の間にバネ７を設けることも可能である。
【００３２】
本体３の大きさについては、モノフィラメント製品４の上端部に解舒補助具１を設置した際に、ボビンの端部の端縁、つまり図２で言うところのボビンの鍔部分５の端縁よりも大きくならないようにすることが必要である。
【００３３】
これは、モノフィラメント６が本体３と接触して解舒テンションが高くなったり糸切れが発生したりするのを防ぐためである。
【００３４】
さらに、本体３にボビン軸穴挿入部を設け、このボビン軸穴挿入部をボビンの軸穴に挿着固定することで、解舒補助具１がモノフィラメント製品４の上端部でズレないようにすることができ、さらに好ましい効果の発現が期待できる。  
【００３５】
以上説明した通り、本発明のモノフィラメントの解舒補助具１は、従来の解舒補助具に比べて簡便且つ安価な構造であるため使用しやすく、実際にモノフィラメントを解舒するに際し使用した場合には、モノフィラメント製品４の巻き状態を崩すことなくスムーズに解舒することができるため、極めて実用価値が高いものである。
【実施例】
【００３６】
以下、本発明のボビン巻きモノフィラメントの解舒補助具について、図２に示す実施形態を一例に、さらに詳細に説明するが、本発明はその要旨を超えない限り、以下の実施例に何ら限定されるものではない。
【００３７】
また、実施例に記載したモノフィラメントの解舒補助具を使用した際の効果確認は、以下の方法によって評価したものである。
【００３８】
［モノフィラメントの解舒評価］
直径０．１５ｍｍのポリエステル（以降、ＰＥＴと言う）モノフィラメントをボビン１本に付き２０万ｍ巻き取り、１０本のボビン巻きモノフィラメント製品を準備した。
【００３９】
なお、準備した１０本のモノフィラメント製品は、いずれも解舒不良や輪抜けによる糸切れを発生しやすくするため、モノフィラメントが巻かれたボビン上部の鍔側部において巻き状態が鼓状にせり上がり、さらにボビン下部の鍔側部において太鼓状に落ち込んだものを使用した。
【００４０】
そして、このモノフィラメント製品の上端部にモノフィラメントの解舒補助具を設置し、図２に示すように、ボビン軸方向先端側からモノフィラメントを縦取り解舒した。
【００４１】
解舒に際しては、８００ｍ／分の解舒速度（給糸速度）で２５分間解舒を行った後、次に５００ｍ／分に解舒速度を下げて２０分間解舒を行い、再び８００ｍ／分の解舒速度で２５分間の解舒を行い、一旦解舒を停止した。
【００４２】
そして、５分間の解舒停止状態の後、再び８００ｍ／分で２５分、５００ｍ／分で２０分、８００ｍ／分で２５分の解舒を行い、再び解舒を停止した。
【００４３】
この一連の解舒速度変更操作と解舒停止操作を合計４回繰り返し、２０万ｍのＰＥＴモノフィラメントをボビンから全て解舒した。
【００４４】
そして、上記の解除操作を行いながらモノフィラメントの巻き状態を、次の３段階で評価した。
◎：全てのモノフィラメント製品が巻き状態を崩すことなく、解舒することができた、
○：１０本中１本以上のモノフィラメント製品が僅かに巻き状態を崩し、多少輪抜けが発生したが、糸切れ等の問題もなく使用することができた、
×：１０本中１本以上のモノフィラメント製品が巻き状態を崩し、輪抜けや糸切れなどの不具合が発生した。
【００４５】
［解舒テンションの評価］
上記モノフィラメントの解舒評価において、解舒テンションの掛かり方および解舒時のバルーニングの状況を次の３段階で評価した。
◎：解舒テンションの変動が小さく、安定した解舒バルーンが形成された、
○：解舒テンションがやや高く、解舒の際に多少抵抗があり、バルーンの形成状態にやや変動が見られた、
×：解舒テンションの変動が大きく、バルーンの形成状態が不安定であり、スムーズな解舒ができない、若しくは解舒テンションが低すぎ、バルーンの形成がモノフィラメント製品の巻姿によって変動し、スムーズな解舒ができなかった。
【００４６】
［実施例１］
直径０．５ｍｍのＰＥＴモノフィラメントからなる抵抗体の設置本数が４本、且つ抵抗体の突出部分の長さが１０ｍｍとなる解舒補助具を使用し、モノフィラメントの縦取り解舒を行った。モノフィラメントの解舒評価および解舒テンションの評価結果を表１に示す。
【００４７】
［実施例２〜５］
表１に示すように、直径０．５ｍｍのＰＥＴモノフィラメントからなる抵抗体の本数および抵抗体の突出部分の長さを、表１に示したように変更した解舒補助具を使用してモノフィラメントの縦取り解舒を行った。モノフィラメントの解舒評価および解舒テンションの評価結果を表１に示す。
【００４８】
［比較例１］
解舒補助具を使用せずにモノフィラメントの縦取り解舒を行った。モノフィラメントの解舒評価および解舒テンションの評価結果を表１に示す。
【００４９】
［比較例２］
抵抗体の設置本数が１本、且つ抵抗体の突出部分の長さが２０ｍｍとなる解舒補助具を使用し、モノフィラメントの縦取り解舒を行った。モノフィラメントの解舒評価および解舒テンションの評価結果を表１に示す。
【００５０】
【表１】
2007099456.tif 000003
【００５１】
表１の結果から明らかなように、本発明の解舒補助具を使用してモノフィラメントを縦取り解舒した場合は、モノフィラメントの解舒評価結果および解舒テンションの評価結果がいずれも良好であり、解舒補助具を使用せずに縦取り解舒した場合（比較例１）と比べて、モノフィラメントの縦取り解舒がスムーズに行われていることが分かる。
【００５２】
一方、抵抗体が１本の解舒補助具を使用した場合（比較例２）は、輪抜けや糸切れが多発し、解舒補助具として十分な働きを果たさなかった。
【産業上の利用可能性】
【００５３】
本発明のモノフィラメントの解舒補助具は、従来の解舒補助具と比べてモノフィラメントの巻き状態を崩すことなくスムーズに解舒することができ、さらに構造上簡便かつ安価なものであるため、製織前の整経機に経糸を給糸する際や織機に緯糸を給糸する際のモノフィラメントの解舒に大いに役立ち、その実用価値は極めて高いものである。
【図面の簡単な説明】
【００５４】
【図１】本発明の解舒補助具の第１実施例を示した図である。
【図２】本発明の解舒補助具を使用し、ボビン巻きされたモノフィラメントを縦取り解舒する際の様子を示した図である。
【図３】本発明の解舒補助具の第２実施例を拡大した図である。
【符号の説明】
【００５５】
１          解舒補助具
２          抵抗体
２ａ〜２ｌ  抵抗体   
３          本体
４          モノフィラメント製品
５          鍔部分
６          モノフィラメント
７          バネ
【図１】
2007099456.tif 000004
【図２】
2007099456.tif 000005
【図３】
2007099456.tif 000006